(57)【要約】【課題】炊飯器本体の上面開口部を覆う蓋を有する炊飯器において、炊飯中、蓋や蓋表面部材の温度が高温になったとき、視覚的に認知できるようにして、安全性を向上する。【解決手段】炊飯器本体１２内に着脱自在に収納した鍋１３を加熱制御手段１８により加熱制御し、炊飯器本体１２の上面開口部を蓋１９により覆い、蓋１９の上面に蓋表面部材２２を設ける。蓋表面部材２２は温度によって色相が変化するようにする。【選択図】　図１
2004033391.tif 000002
【特許請求の範囲】
【請求項１】
炊飯器本体と、前記炊飯器本体内に着脱自在に収納される鍋と、前記鍋を加熱制御する加熱制御手段と、前記炊飯器本体の上面開口部を覆う蓋と、前記蓋の上面に設けた蓋表面部材とを備え、前記蓋表面部材は温度によって色相が変化するようにした炊飯器。
【請求項２】
蓋表面部材は、高温となったとき、色相の変化により高温部に対する警告を表示するようにした請求項１記載の炊飯器。
【請求項３】
炊飯器本体と、前記炊飯器本体内に着脱自在に収納される鍋と、前記鍋を加熱制御する加熱制御手段と、前記炊飯器本体の上面開口部を覆うとともに炊飯中の蒸気を排出する蒸気口を有する蓋と、前記蓋の上面を覆い前記蒸気口部を開口させた着脱自在な蓋表面部材とを備え、前記蓋表面部材の蒸気口の開口部近傍に軟質部材を一体成形した炊飯器。
【請求項４】
炊飯器本体と、前記炊飯器本体内に着脱自在に収納される鍋と、前記鍋を加熱制御する加熱制御手段と、前記炊飯器本体の上面開口部を覆うとともに炊飯中の蒸気を排出する蒸気口を有する蓋と、前記蓋の上面を覆い前記蒸気口部を開口させた着脱自在な蓋表面部材とを備え、前記蓋表面部材を屈曲可能な構成とした炊飯器。
【請求項５】
炊飯器本体と、前記炊飯器本体内に着脱自在に収納される鍋と、前記鍋を加熱制御する加熱制御手段と、前記炊飯器本体の上面開口部を覆うとともに炊飯中の蒸気を排出する蒸気口を有する蓋と、前記蓋の上面を覆い前記蒸気口部を開口させた着脱自在な蓋表面部材とを備え、前記蓋の開放機構にダンパー機構を設けた炊飯器。
【発明の詳細な説明】
【０００１】
【発明の属する技術分野】
本発明は、炊飯器本体の上面開口部を覆う蓋を有する炊飯器に関するものである。
【０００２】
【従来の技術】
従来、この種の炊飯器は図３に示すように構成していた。以下、その構成について説明する。
【０００３】
図３に示すように、炊飯器本体１は、上面が開口し、この炊飯器本体１の内部に鍋２の収納部である保護枠３を配設している。この保護枠３は非金属材料により有底円筒状に形成し、保護枠３の上端部は炊飯器本体１の上枠４に係合している。保護枠３の外側に鍋２を誘導加熱する加熱コイル５を設けている。加熱制御手段６は加熱コイル５への高周波電力の供給を制御するものである。
【０００４】
蓋７は炊飯器本体１の上面開口部を覆うもので、ヒンジ軸８により開閉自在に支持している。蓋表面部材９は蓋７の上面を覆い、着脱自在に設けたもので、板状部材に塗装を施したものである。蒸気口１０は炊飯中の蒸気を排出するものである。底センサ１１は鍋２の温度を検知するもので、底センサ１１の温度情報に基づいて、加熱制御手段６により炊飯工程を制御している。
【０００５】
【発明が解決しようとする課題】
しかしながら、このような構成の炊飯器では、炊飯中、蓋７や蓋表面部材９の温度が高温になっていても、接触しないとわからないという問題があり、また、蓋表面部材９を着脱できる構成とすると、蒸気口近傍のシール性が確保しにくいという問題を有していた。
【０００６】
さらに、炊飯器の上面の大きさは概して日常使用する食器などに比べ大きく、それを覆う蓋表面部材９は必然的に大きくなるため、洗いにくく、保管場所に困るという問題があり、加えて、蓋表面部材９が組み付けられてないときに蓋７の開成力が強くなり、蓋７の開成性能が安定しないという問題を有していた。
【０００７】
本発明は上記従来の課題を解決するもので、炊飯中、蓋や蓋表面部材の温度が高温になったとき、視覚的に認知できるようにして、安全性を向上することを第１の目的としている。
【０００８】
また、蓋表面部材が着脱できる構成でも蒸気口近傍のシール性を確保し、蓋表面部材の手入れを容易にし、常に安定した蓋開放性能を得ることを第２の目的としている。
【０００９】
【課題を解決するための手段】
本発明は上記第１の目的を達成するために、炊飯器本体内に着脱自在に収納した鍋を加熱制御手段により加熱制御し、炊飯器本体の上面開口部を蓋により覆い、蓋の上面に蓋表面部材を設け、蓋表面部材は温度によって色相が変化するようにしたものである。
【００１０】
これにより、炊飯中、蓋や蓋表面部材の温度が高温になったとき、蓋表面部材の色相により視覚的に認知することができ、安全性を向上することができ。
【００１１】
また、上記第２の目的を達成するために、炊飯器本体内に着脱自在に収納した鍋を加熱制御手段により加熱制御し、炊飯器本体の上面開口部を炊飯中の蒸気を排出する蒸気口を有する蓋により覆い、蓋の上面を蒸気口部を開口させた蓋表面部材により着脱自在に覆うよう構成し、蓋表面部材の蒸気口の開口部近傍に軟質部材を一体成形し、蓋表面部材を屈曲可能な構成とし、蓋の開放機構にダンパー機構を設けたものである。
【００１２】
これにより、蓋表面部材が着脱できる構成でも蒸気口近傍のシール性を確保でき、蓋表面部材の手入れを容易にでき、常に安定した蓋開放性能を得ることができる。
【００１３】
【発明の実施の形態】
本発明の請求項１に記載の発明は、炊飯器本体と、前記炊飯器本体内に着脱自在に収納される鍋と、前記鍋を加熱制御する加熱制御手段と、前記炊飯器本体の上面開口部を覆う蓋と、前記蓋の上面に設けた蓋表面部材とを備え、前記蓋表面部材は温度によって色相が変化するようにしたものであり、蓋や蓋表面部材が高温となったとき、色相の変化を目視することができて、接触しなくても蓋表面部材の色相により、視覚的に高温であることを容易に確認することができ、安全性を向上することができる。
【００１４】
請求項２に記載の発明は、上記請求項１に記載の発明において、蓋表面部材は、高温となったとき、色相の変化により高温部に対する警告を表示するようにしたものであり、温度が低い非使用時には、警告の文字などが見えないため、使用者が普段から見慣れるのを防ぎ、通常から同内容を表記しているものよりも高温時に警告内容を使用者に印象づけることができ、また、文字や記号などで内容を表記することにより使用者の警告内容把握を容易にし、安全性を向上することができる。さらに、低温時、つまりは非調理時には警告表示などが隠れるため、商品の色や模様、フォルムなどの選択余裕が広がり、デザイン性を向上することができる。
【００１５】
請求項３に記載の発明は、炊飯器本体と、前記炊飯器本体内に着脱自在に収納される鍋と、前記鍋を加熱制御する加熱制御手段と、前記炊飯器本体の上面開口部を覆うとともに炊飯中の蒸気を排出する蒸気口を有する蓋と、前記蓋の上面を覆い前記蒸気口部を開口させた着脱自在な蓋表面部材とを備え、前記蓋表面部材の蒸気口の開口部近傍に軟質部材を一体成形したものであり、蓋表面部材を炊飯器本体に組み付けるとき、軟質部材により蒸気口の近傍のシール性を毎回確実に確保することができ、また、炊飯器本体側にシール部材を設けておく構成に比べ、シール部材ごと外して洗えるため、楽に手入れすることができる。
【００１６】
請求項４に記載の発明は、炊飯器本体と、前記炊飯器本体内に着脱自在に収納される鍋と、前記鍋を加熱制御する加熱制御手段と、前記炊飯器本体の上面開口部を覆うとともに炊飯中の蒸気を排出する蒸気口を有する蓋と、前記蓋の上面を覆い前記蒸気口部を開口させた着脱自在な蓋表面部材とを備え、前記蓋表面部材を屈曲可能な構成としたものであり、蓋表面部材を小さくたたんで扱えるため、洗いやすく、保管しやすくなる。
【００１７】
請求項５に記載の発明は、炊飯器本体と、前記炊飯器本体内に着脱自在に収納される鍋と、前記鍋を加熱制御する加熱制御手段と、前記炊飯器本体の上面開口部を覆うとともに炊飯中の蒸気を排出する蒸気口を有する蓋と、前記蓋の上面を覆い前記蒸気口部を開口させた着脱自在な蓋表面部材とを備え、前記蓋の開放機構にダンパー機構を設けたものであり、ダンパー機構により、蓋に対する蓋表面部材の着脱状況によらず、常に安定した蓋開成性能を得ることができる。
【００１８】
【実施例】
以下、本発明の一実施例について、図面を参照しながら説明する。
【００１９】
図１に示すように、炊飯炊飯器本体１２は、上面が開口し、この炊飯器本体１２の内部に鍋１３の収納部である耐熱性の高い樹脂材料で構成した保護枠１４を配設している。この保護枠１４の上端部は炊飯器本体１２の上面開口部を構成する上枠１５に係合している。保護枠１４の外側に鍋１３を誘導加熱する加熱手段である加熱コイル１６を設けている。保護枠１４の底中心部に底センサ１７を設け、この底センサ１７で鍋１３内の温度を検知する。加熱制御手段１８は加熱コイル１６への高周波電力の供給を制御するものである。
【００２０】
炊飯器本体１２の上面開口部は蓋１９で覆い、ヒンジ軸２０により開閉自在に支持し、この蓋１９に炊飯中の蒸気を排出する蒸気口２１を設けている。蓋表面部材２２は、温度によって色相が変化するようにしたもので、蓋１９の上面に着脱自在に設けている。軟質部材２３は蓋表面部材２２の蒸気口２１の開口部近傍および外周部に一体成形し、蒸気口２１からの蒸気などに対するシール構成をとっている。
【００２１】
ダンパー機構２４は、ギヤなどによって構成し、蓋１９の開放機構に設け、蓋１６の開放時に蓋１９の開放スピードを抑えるものである。
【００２２】
蓋表面部材２２は、図２（ａ）に示すように、ベース部材２５の上面に、温度により色相が変化する塗料を塗装した層２６を形成し、さらに、その表面を透明部材２７により覆い、ベース部材２５と透明部材２７は蓋表面部材２３の端部で密着処理されており、軟質部材２３で覆うことにより、炊飯器の使用中に蒸気により剥離するのを防いでいる。
【００２３】
また、ベース部材２５等は、図２（ｂ）に示すように、４つの部分に分かれ、その間を軟質部材２３でつなぐ構成とし、蓋表面部材２２は屈曲可能としている。
【００２４】
上記構成において作用を説明する。上記構成の炊飯器を一般家庭の台所等で使用すると、炊飯中の蓋１９の表面温度の上昇に伴い、蓋表面部材２３の色相変化を目視により確認でき、接触しなくても蓋表面部材２２の色相により、視覚的に高温であることが容易に確認でき、安全性を向上することができる。
【００２５】
さらに、色相が変化する塗料と変化しない塗料を部位により使い分け、蓋表面部材２３が高温となった時だけ警告文字や警告記号、模様などを表示させることにより、使用者が普段から警告表記に見慣れることを防ぎ、通常から同内容を表記しているものよりも高温時に警告内容を使用者に印象づけることができ、安全性を向上することができる。
【００２６】
加えて、低温時、つまりは非調理時には警告表示などが隠れるため、商品の色や模様などの選択余裕が広がり、デザイン性を向上することができる。
【００２７】
また、上記構成の炊飯器を一般家庭の台所等で使用すると、炊飯器の表面は炊飯器近傍での油調理による油煙や、蒸気口２１からの調理物のふきこぼれなどにより汚れることが多く、特に炊飯器本体１２の上面を覆う蓋１９の天面が汚れやすい。
【００２８】
ここで、蓋表面部材２２は蓋１９の上面に着脱自在に設け、軟質部材２３を蓋表面部材２２の蒸気口２１の開口部近傍および外周部に一体成形し、蒸気口２１からの蒸気などに対するシール構成をとっているので、蓋１９の表面を覆っている蓋表面部材２２を取り外して洗うことができる上、組み付け時にシール性が必要な蒸気口２１の周辺に対して常に確実にシールすることがができる。さらに、蓋表面部材２２を屈曲可能とすることにより、小さくたたんで扱え、洗いやすく、保管しやすくなる。
【００２９】
また、蓋１９をヒンジ軸２０により開閉自在に支持し、ばねなどで蓋１９の開放機構を構成し、手入れ時などに蓋表面部材２２を外すと、蓋１９全体の重量が軽くなるため、蓋１９の開放力が強くなりすぎ、使用者が推測するよりも激しく蓋１９が開いて不安を与えることがあるが、ダンパー機構２４を蓋１９の開放機構に設け、蓋１６の開放時に蓋１９の開放スピードを抑えることにより、常に蓋１９を緩やかに開くことができ、使用者に不安を与えるのを未然に防ぐことができる。
【００３０】
なお、本実施例では、色相変化を実現するために色相が変化する塗料などを塗装する手段を採用しているが、色相が変化する塗料などを印刷したフィルムをインサート成形したり、色相が変化する塗料など基材にブレンドし成形したりしても、同等の効果を得ることができる。
【００３１】
また、本実施例では、ベース部材２５等を４つの部分に分け、その間を軟質部材２３でつなぐ構成とし、蓋表面部材２２は屈曲可能としているが、分ける数は限定するものではなく、また、いくつかの小さい部位ごとに分解できるようにしてもよい。さらに、蓋表面部材２２すべてを軟質部材２３とすることにより全体が屈曲する構成とすることもできる。
【００３２】
さらに、加熱手段として加熱コイルによる誘導加熱を採用しているが、加熱手段は限定するものではない。
【００３３】
【発明の効果】
以上のように本発明の請求項１に記載の発明によれば、炊飯器本体と、前記炊飯器本体内に着脱自在に収納される鍋と、前記鍋を加熱制御する加熱制御手段と、前記炊飯器本体の上面開口部を覆う蓋と、前記蓋の上面に設けた蓋表面部材とを備え、前記蓋表面部材は温度によって色相が変化するようにしたから、接触しなくても蓋表面部材の色相により、視覚的に高温であることを容易に確認することができ、安全性を向上することができる。
【００３４】
また、請求項２に記載の発明によれば、蓋表面部材は、高温となったとき、色相の変化により高温部に対する警告を表示するようにしたから、温度が低い非使用時には、警告の文字などが見えないため、使用者が普段から見慣れるのを防ぎ、通常から同内容を表記しているものよりも高温時に警告内容を使用者に印象づけることができ、また、文字や記号などで内容を表記することにより使用者の警告内容把握を容易にし、安全性を向上することができる。さらに、低温時、つまりは非調理時には警告表示などが隠れるため、商品の色や模様、フォルムなどの選択余裕が広がり、デザイン性を向上することができる。
【００３５】
また、請求項３に記載の発明によれば、炊飯器本体と、前記炊飯器本体内に着脱自在に収納される鍋と、前記鍋を加熱制御する加熱制御手段と、前記炊飯器本体の上面開口部を覆うとともに炊飯中の蒸気を排出する蒸気口を有する蓋と、前記蓋の上面を覆い前記蒸気口部を開口させた着脱自在な蓋表面部材とを備え、前記蓋表面部材の蒸気口の開口部近傍に軟質部材を一体成形したから、蓋表面部材を炊飯器本体に組み付けるとき、軟質部材により蒸気口の近傍のシール性を毎回確実に確保することができ、また、炊飯器本体側にシール部材を設けておく構成に比べ、シール部材ごと外して洗えるため、楽に手入れすることができる。
【００３６】
また、請求項４に記載の発明によれば、炊飯器本体と、前記炊飯器本体内に着脱自在に収納される鍋と、前記鍋を加熱制御する加熱制御手段と、前記炊飯器本体の上面開口部を覆うとともに炊飯中の蒸気を排出する蒸気口を有する蓋と、前記蓋の上面を覆い前記蒸気口部を開口させた着脱自在な蓋表面部材とを備え、前記蓋表面部材を屈曲可能な構成としたから、蓋表面部材を小さくたたんで扱えるため、洗いやすく、保管しやすくなる。
【００３７】
また、請求項５に記載の発明によれば、炊飯器本体と、前記炊飯器本体内に着脱自在に収納される鍋と、前記鍋を加熱制御する加熱制御手段と、前記炊飯器本体の上面開口部を覆うとともに炊飯中の蒸気を排出する蒸気口を有する蓋と、前記蓋の上面を覆い前記蒸気口部を開口させた着脱自在な蓋表面部材とを備え、前記蓋の開放機構にダンパー機構を設けたから、蓋に対する蓋表面部材の着脱状況によらず、常に安定した蓋開成性能を得ることができる。
【図面の簡単な説明】
【図１】本発明の一実施例の炊飯器の断面図
【図２】（ａ）同炊飯器の蓋表面部材の要部拡大断面図
（ｂ）同炊飯器の蓋表面部材の平面図
【図３】従来の炊飯器の断面図
【符号の説明】
１２　炊飯器本体
１３　鍋
１８　加熱制御手段
１９　蓋
２２　蓋表面部材
【図１】
2004033391.tif 000003
【図２】
2004033391.tif 000004
【図３】
2004033391.tif 000005